(57)【要約】【課題】  制御する複数の負荷の総消費電力がどの程度かを主制御装置側で確実に把握する。【解決手段】  主制御装置２２とこの主制御装置から通信線２１を介して受信するアドレス信号を含んだ制御信号に基づいて蛍光灯照明器具１１ａ，１１ｂ，１１ｃ、１２ａ，１２ｂを各種条件で調光制御する照明制御装置２０-1，２０-2からなり、主制御装置は、各照明制御装置が照明器具を調光制御するときの各種条件データ、すなわち照明器具の台数、入力電圧の実効値、調光制御量、調光制御量毎の入力電流の実効値及び力率を予め記憶するとともに制御信号に基づいて照明制御装置が実際に照明器具を調光制御したときの条件データ、すなわち調光制御量を記憶する記憶部と、この記憶部の各種条件データと照明器具駆動時に記憶した条件データとから照明制御装置が制御する複数の照明器具の総消費電力を演算する演算部とを備えている。【選択図】図１
2007294475.tif 000002
【特許請求の範囲】
【請求項１】
主制御装置とこの主制御装置から通信線を介して受信するアドレス信号を含んだ制御信号に基づいて負荷を各種条件で駆動制御する負荷制御装置からなり、
前記主制御装置は、前記負荷制御装置が前記負荷を駆動制御するときの各種条件データを予め記憶するとともにアドレス信号を含んだ制御信号に基づいて前記負荷制御装置が実際に前記負荷を駆動制御したときの条件データを記憶する記憶部と、この記憶部が予め記憶している各種条件データと負荷駆動時に記憶した条件データとから前記負荷の消費電力を演算する演算部とを備えたことを特徴とする負荷制御システム。
【請求項２】
主制御装置とこの主制御装置から通信線を介して受信するアドレス信号を含んだ制御信号に基づいて負荷を各種条件で駆動制御する負荷制御装置からなり、
前記主制御装置は、時刻を計時する時計回路と、前記負荷制御装置が前記負荷を駆動制御するときの各種条件データを予め記憶するとともにアドレス信号を含んだ制御信号に基づいて前記負荷制御装置が実際に前記負荷を駆動制御したときの条件データ及びこの条件データのもとで駆動開始した時刻データを前記時計回路から受け取って記憶する記憶部と、この記憶部が予め記憶している各種条件データと負荷駆動時に記憶した条件データ及び時刻データとから前記負荷の消費電力量を演算する演算部とを備えたことを特徴とする負荷制御システム。
【請求項３】
主制御装置とこの主制御装置から通信線を介して受信するアドレス信号を含んだ制御信号に基づいて負荷を各種条件で駆動制御する負荷制御装置からなり、
前記主制御装置は、時刻を計時する時計回路と、前記負荷制御装置が前記負荷を駆動制御するときの各種条件データを予め記憶するとともにアドレス信号を含んだ制御信号に基づいて前記負荷制御装置が実際に前記負荷を駆動制御したときの条件データ及びこの条件データのもとで駆動開始した時刻データを前記時計回路から受け取って記憶する記憶部と、この記憶部が予め記憶している各種条件データと負荷駆動時に記憶した条件データ及び時刻データと、前記時計回路が計時する時刻とから前記負荷の消費電力量を演算する演算部とを備えたことを特徴とする負荷制御システム。
【発明の詳細な説明】
【技術分野】
【０００１】
本発明は、蛍光灯照明器具や空調機などを負荷として駆動制御する負荷制御システムに関する。
【背景技術】
【０００２】
近年、各種機器の省エネ化が推進されているが、一方、工場やオフィスなどの各施設では、照明器具、空調機、パーソナルコンピュータ、家電製品などの電気機器の使用数が増大しており、総電力量の増加の傾向にある。このため、各施設の管理者にとっては、電気機器による消費電力を削減する対策が重要になってきている。
【０００３】
例えば、蛍光灯照明器具を負荷とし、この照明器具を調光制御することで消費電力の削減を図るシステムとして図１５に示す構成のものが知られている。これは、調光機能付き照明器具１ａ，１ｂ，１ｃを１つのグループとし、この各照明器具１ａ，１ｂ，１ｃの電源端子をそれぞれ電源スイッチ２ａ，２ｂ，２ｃを介して商用電源３に接続し、また、調光機能付き照明器具１ｄ，１ｂ，１ｃを１つのグループとし、この各照明器具１ｄ，１ｅ，１ｆの電源端子をそれぞれ電源スイッチ２ｄ，２ｅ，２ｆを介して商用電源３に接続している。
【０００４】
そして、前記各照明器具１ａ，１ｂ，１ｃの調光用端子をこの各照明器具を調光制御する照明制御装置４ａに接続し、前記各照明器具１ｄ，１ｅ，１ｆの調光用端子をこの各照明器具を調光制御する照明制御装置４ｂに接続している。前記各照明制御装置４ａ，４ｂは通信線５を介して主制御装置６に接続し、この主制御装置６からの制御信号を受信して各照明器具を調光制御するようになっている。
【０００５】
主制御装置６から各照明制御装置４ａ，４ｂに送信する制御信号のフォーマットは、図１６に示すように、同期信号、送信先である照明制御装置４ａ，４ｂのアドレスを指定するアドレス信号及び照明制御装置４ａ，４ｂが各照明器具を制御する場合の調光量などの制御内容を指定する制御信号からなっている。
【０００６】
前記主制御装置６は、図１７に示すように、入力部６ａ、信号処理部６ｂ、信号送信部６ｃからなり、入力部６ａに操作部から制御するためのデータを入力すると、信号処理部６ｂが制御内容に適した信号に変換し、信号送信部６ｃがこの変換した信号を信号線５を介して各照明制御装置４ａ，４ｂに送信するようになっている。なお、入力部６ａへのデータ入力は操作部から直接入力する他、ネットワーク７を介しても入力できるようになっている。
【０００７】
前記各照明制御装置４ａ，４ｂは、図１８に示すように、受信部８ａ、データ処理部８ｂ、アドレス設定部８ｃ及び制御部８ｄからなり、主制御装置６から通信線５を介して送信される制御信号を前記受信部８ａが受信してデータ処理部８ｂに渡すようになっている。アドレス設定部８ｃには自己に固有のアドレスが設定されており、データ処理部８ｂは受信した制御信号内に含まれるアドレス信号がアドレス設定部８ｃに設定されている自己アドレスと一致しているか否かを判断し、一致したときのみ受信した制御信号を制御部８ｄに渡すようになっている。制御部８ｄは、制御信号に基づいて照明器具に照明制御出力を送出し調光制御するようになっている。
【０００８】
このようなシステムでは、例えば、照明器具１ａ，１ｂ，１ｃが部屋の窓側天井に配置され、照明器具１ｄ，１ｅ，１ｆが部屋の壁側天井に配置されているとすると、日中昼光が窓から入射しているようなときには、主制御装置６は照明制御装置４ａに対して各照明器具１ａ，１ｂ，１ｃを６０％の明るさで調光制御する制御信号を送信し、照明制御装置４ｂに対して各照明器具１ｄ，１ｅ，１ｆを９０％の明るさで調光制御する制御信号を送信する。
【０００９】
そして、夜間になると、主制御装置６は各照明制御装置４ａ，４ｂに対して各照明器具１ａ〜１ｆを１００％全光となる制御信号を送信する。
【００１０】
このような制御を行うことで、常に室内の照度をある一定の明るさに制御でき、しかも、省エネ化を図ることができる。
【発明の開示】
【発明が解決しようとする課題】
【００１１】
しかし、このようなシステムでは、各照明器具を状況に応じて調光制御できるが、各照明器具で消費される電力がどの程度であるか、また、例えば、一日の消費電力量がどの程度で、どの程度の省エネ化を図ることができたかなど、管理者が管理する上で必要な情報が全く得られないという問題があった。
【００１２】
そこで、請求項１記載の発明は、制御する負荷の消費電力がどの程度かを確実に把握できる負荷制御システムを提供する。
【００１３】
また、請求項２及び３記載の発明は、制御する負荷での消費電力量がどの程度かを確実に知ることができる負荷制御システムを提供する。
【課題を解決するための手段】
【００１４】
請求項１記載の発明は、主制御装置とこの主制御装置から通信線を介して受信するアドレス信号を含んだ制御信号に基づいて負荷を各種条件で駆動制御する負荷制御装置からなり、主制御装置は、負荷制御装置が負荷を駆動制御するときの各種条件データを予め記憶するとともに制御信号に基づいて負荷制御装置が実際に負荷を駆動制御したときの条件データを記憶する記憶部と、この記憶部が予め記憶している各種条件データと負荷駆動時に記憶した条件データとから負荷の消費電力を演算する演算部とを備えたものである。
【００１５】
請求項２記載の発明は、主制御装置とこの主制御装置から通信線を介して受信するアドレス信号を含んだ制御信号に基づいて負荷を各種条件で駆動制御する負荷制御装置からなり、主制御装置は、時刻を計時する時計回路と、負荷制御装置が負荷を駆動制御するときの各種条件データを予め記憶するとともにアドレス信号を含んだ制御信号に基づいて負荷制御装置が実際に負荷を駆動制御したときの条件データ及びこの条件データのもとで駆動開始した時刻データを時計回路から受け取って記憶する記憶部と、この記憶部が予め記憶している各種条件データと負荷駆動時に記憶した条件データ及び時刻データとから負荷の消費電力量を演算する演算部とを備えたものである。
【００１６】
請求項３記載の発明は、主制御装置とこの主制御装置から通信線を介して受信するアドレス信号を含んだ制御信号に基づいて負荷を各種条件で駆動制御する負荷制御装置からなり、主制御装置は、時刻を計時する時計回路と、負荷制御装置が負荷を駆動制御するときの各種条件データを予め記憶するとともにアドレス信号を含んだ制御信号に基づいて負荷制御装置が実際に負荷を駆動制御したときの条件データ及びこの条件データのもとで駆動開始した時刻データを時計回路から受け取って記憶する記憶部と、この記憶部が予め記憶している各種条件データと負荷駆動時に記憶した条件データ及び時刻データと、時計回路が計時する時刻とから負荷の消費電力量を演算する演算部とを備えたものである。
【発明の効果】
【００１７】
請求項１記載の発明によれば、アドレス信号を含んだ制御信号に基づいて制御する複数の負荷の総消費電力がどの程度かを主制御装置側で確実に把握できる。
【００１８】
また、請求項２及び３記載の発明によれば、時刻を計時する時計回路およびアドレス信号を含んだ制御信号に基づいて制御する複数の負荷での総消費電力量がどの程度かを主制御装置側で確実に知ることができる。
【発明を実施するための最良の形態】
【００１９】
本発明の実施の形態を図面を参照して説明する。
（第１の実施の形態）
【００２０】
なお、この実施の形態は負荷として照明器具のみを使用し、この照明器具の制御に適用したものについて述べる。
【００２１】
図１において、１１ａ，１１ｂ，１１ｃは１グループ目の調光機能付き蛍光灯照明器具、１２ａ，１２ｂは２グループ目の調光機能付き蛍光灯照明器具、１３ａ，１３ｂ，…はｎグループ目の調光機能付き蛍光灯照明器具である。
【００２２】
前記各蛍光灯照明器具１１ａ，１１ｂ，１１ｃの電源端子をそれぞれ電源スイッチ１４ａ，１４ｂ，１４ｃを介して２００Ｖ電源１５に接続している。前記各蛍光灯照明器具１２ａ，１２ｂの電源端子をそれぞれ電源スイッチ１６ａ，１６ｂを介して１００Ｖ電源１７に接続している。前記各蛍光灯照明器具１３ａ，１３ｂ，…の電源端子をそれぞれ電源スイッチ１８ａ，１８ｂ，…を介して１００Ｖ電源１９に接続している。
【００２３】
また、前記各蛍光灯照明器具１１ａ，１１ｂ，１１ｃの調光用端子を照明制御装置２０-1に接続し、前記各蛍光灯照明器具１２ａ，１２ｂの調光用端子を照明制御装置２０-2に接続し、前記各蛍光灯照明器具１３ａ，１３ｂ，…の調光用端子を照明制御装置２０-nに接続している。前記各照明制御装置２０-1，２０-2，２０-nは通信線２１を介して主制御装置２２に接続している。
【００２４】
前記主制御装置２２は、図２に示すように、入力部２２ａ、信号処理部２２ｂ、信号送信部２２ｃ、記憶部２２ｄ、時計回路２２ｅ、演算部２２ｆ及び電力表示部２２ｇからなり、前記入力部２２ａは操作部からの入力データの取込み及びネットワーク２３からの入力データの取込みを行うようになっている。
【００２５】
前記入力部２２ａが取込んだ入力データを前記信号処理部２２ｂに渡し、この信号処理部２２ｂで制御内容に適した制御信号に変換している。そして、信号処理部２２ｂが変換処理した制御信号を前記信号送信部２２ｃに渡し、信号送信部２２ｃは制御信号を通信線２１を介して前記各照明制御装置２０-1，２０-2，２０-nに送信するようになっている。
【００２６】
前記記憶部２２ｄは、図４に示すように、前記各照明制御装置２０-1，２０-2，２０-nに対応したアドレス番号、各照明制御装置２０-1，２０-2，２０-nに接続している蛍光灯照明器具の台数、入力電圧の実効値、各種調光制御量、この各種調光制御量毎の入力電流の実効値と力率の各データを条件データとして予め設定したテーブル２４を設けている。また、図５に示すように、前記信号処理部２２ｂが変換した制御信号を信号送信部２２ｃから送信するときのその制御信号内のアドレス番号、調光制御量を条件データとして記憶するとともにそのときの時刻データを前記時計回路２２ｅから受け取って記憶する記憶エリア２５を設けている。なお、記憶部２２ｄは、主制御装置２２が例えばパーソナルコンピュータなどのコンピュータからなる場合はハードディスクやＲＯＭ、ＰＲＯＭ、ＲＡＭ
などの記憶媒体によって構成されるものである。
【００２７】
前記演算部２２ｆは、前記記憶部２２ｄの記憶エリア２５に記憶したアドレス番号と調光制御量を読出すとともにこの読出したアドレス番号と調光制御量に基づいてテーブル２４から該当する台数、入力電圧の実効値、入力電流の実効値、力率の条件データを読出し、これをもとに該当する照明制御装置が制御する蛍光灯照明器具の瞬時消費電力を演算するようになっている。また、記憶エリア２５に記憶した時刻データ、前記時計回路２２ｅが計時する時刻から該当する照明制御装置が蛍光灯照明器具を駆動している時間を求め、これと消費電力とからある時間の消費電力量を演算するようになっている。そして、演算した瞬時消費電力や消費電力量を前記電力表示部２２ｇに表示するようになっている。
【００２８】
前記各照明制御装置２０-1，２０-2，２０-nは、図３に示すように、受信部２６ａ、データ処理部２６ｂ、アドレス設定部２６ｃ及び制御部２６ｄからなり、前記主制御装置２２から通信線２１を介して送信される制御信号を前記受信部２６ａが受信し、前記データ処理部２６ｂに渡すようになっている。前記アドレス設定部２６ｃには自己に固有のアドレスが設定されており、前記データ処理部２６ｂは受信した制御信号内に含まれるアドレス信号が前記アドレス設定部２６ｃに設定されている自己アドレスと一致しているか否かを判断し、一致したときのみ受信した制御信号を前記制御部２６ｄに渡すようになっている。前記制御部２６ｄは、制御信号に基づいて照明器具に照明制御出力を送出し調光制御するようになっている。
【００２９】
このような構成においては、主制御装置２２がアドレス番号「０１」に対応する照明制御装置２０-1に対して照明器具１１ａ，１１ｂ，１１ｃを調光制御量が１００％全光で点灯させる制御信号を９８年２月１４日の８：００に送信し、さらに、照明器具１１ａ，１１ｂ，１１ｃを調光制御量が２５％で点灯させる制御信号を同日の８：３０に送信したとすると、８：００の時点における瞬時消費電力Ｐは、入力電力の実効値が２００Ｖ、入力電流の実効値が４８７ｍＡ、力率が９８．９％であるので、Ｐ＝２００Ｖ×４８７ｍＡ×９８．９％×３（台）から、略２８９Ｗになり、これが電力表示部２２ｇに表示される。
【００３０】
また、８：３０の時点における瞬時消費電力Ｐは、Ｐ＝２００Ｖ×１８５ｍＡ×９３．６％×３（台）から、略１０４Ｗになり、これが電力表示部２２ｇに表示される。
【００３１】
そして、例えば、時計回路２２ｅの時刻が８：３６の場合、この８：３６の時点で８：００からの消費電力量Ｅを求めると、Ｅ＝２８９Ｗ×０．５ｈ＋１０４Ｗ×０．１ｈ＝１５４．９Ｗｈとなり、これが電力表示部２２ｇに表示される。
【００３２】
このように、調光制御量を変化させた場合に、各調光制御量毎に照明制御装置２０-1が駆動制御する照明器具１１ａ，１１ｂ，１１ｃの瞬時の消費電力がどの程度かを主制御装置２２の電力表示部２２ｇによって確実に知ることができる。また、ある時刻からある時刻までにおいて照明制御装置２０-1が駆動制御する照明器具１１ａ，１１ｂ，１１ｃの消費電力量がどの程度かを主制御装置２２の電力表示部２２ｇによって確実に知ることができる。従って、管理者は、消費電力や消費電力量から省エネ化のための対策が容易に実行できることになる。
【００３３】
なお、この実施の形態では、記憶部２２ｄのテーブル２４に予め記憶する条件データとして、アドレス番号に対応して、蛍光灯照明器具の台数、入力電圧の実効値、各種調光制御量、この各種調光制御量毎の入力電流の実効値と力率の各データを設定した場合について述べたが必ずしもこれに限定するものではない。
【００３４】
例えば、図６に示すように、アドレス番号に対応して、蛍光灯照明器具の台数、各種調光制御量及びこの各種調光制御量毎に予め算出した電力データを条件データとして設定したテーブル２４ａであってもよい。
【００３５】
また、図７に示すように、アドレス番号に対応して、蛍光灯照明器具の台数及び消費電力Ｐを求める関数を設定したテーブル２４ｂであってもよい。
【００３６】
関数としては、例えば、アドレスｎの照明制御装置２０-nにより制御される照明器具１３ａ，１３ｂ，…の消費電力Ｐをアドレスｎの照明制御装置２０-nの制御量ｘn の関数ｆn(ｘn)とすることにより、演算部２２ｆは記憶部２２ｄのテーブル２４ｂに記憶しているデータ送信のときの制御量ｘn と関数ｆn(ｘn)から消費電力Ｐ＝関数ｆn(ｘn)を演算して瞬時消費電力を算出することができる。
【００３７】
このＰ＝ｆn(ｘn)の関係をグラフで示せば図８に示すようになる。そして、この関数について時間積分すれば消費電力量が求められることになる。
【００３８】
このように関数によって消費電力及び消費電力量を算出するようにすれば各調光制御量毎との条件データを記憶する場合に比べてテーブルに記憶するデータ容量を充分に少なくできる。
【００３９】
なお、照明制御装置２０-1、２０-2、２０-nに接続する照明器具の個数はこの実施の形態のものに限定するものでないのは勿論である。
（第２の実施の形態）
【００４０】
これは、図９に示すように、負荷として、調光機能付き蛍光灯照明器具３１ａ，３１ｂ，３１ｃの他、空調機３２、他の電気機器３３等を接続し、これらを主制御装置３４で制御するようにしたもので、前記各照明器具３１ａ，３１ｂ，３１ｃの電源端子を電源スイッチ３５を介して電源３６に接続し、前記空調機３２の電源端子を電源スイッチ３７を介して電源３８に接続し、前記電気機器３３を電源スイッチ３９を介して電源４０に接続している。
【００４１】
そして、前記各照明器具３１ａ，３１ｂ，３１ｃの調光用端子を負荷制御装置４１に接続し、前記空調機３２の制御端子を負荷制御装置４２に接続し、前記電気機器３３の制御端子を負荷制御装置４３に接続している。前記各負荷制御装置４１，４２，４３は通信線４４を介して前記主制御装置３４に接続している。
【００４２】
前記負荷制御装置４１は前述した照明制御装置２０-1と同様の構成で、前記主制御装置３４からの制御信号により各照明器具３１ａ，３１ｂ，３１ｃを調光制御する。前記負荷制御装置４２は前記主制御装置３４からの制御信号により空調機３２を駆動制御し、前記負荷制御装置４３は前記主制御装置３４からの制御信号により電気機器３３を駆動制御する。前記各負荷制御装置４１，４２，４３にはそれぞれアドレス０１、０２、０３が設定されている。前記主制御装置３４は前述した主制御装置２２と同様の構成である。
【００４３】
このように、負荷として照明器具３１ａ，３１ｂ，３１ｃ以外に、空調機３２や他の電気機器３３が接続されていても前述した実施の形態と同様に主制御装置３４の記憶部に空調機３２や他の電気機器３３への入力電圧の実効値、入力電流の実効値、力率を設定することで瞬時消費電力や一定時間における消費電力量を把握することができる。従って、前述した第１の実施の形態と同様の効果が得られるものである。
（第３の実施の形態）
【００４４】
なお、この実施の形態も負荷として照明器具のみを使用し、この照明器具の制御に適用したものについて述べる。
【００４５】
図１０において、５１ａ，５１ｂ，５１ｃは１グループ目の蛍光灯照明器具、５２ａ，５２ｂは２グループ目の蛍光灯照明器具で、これらは調光機能を有していない照明器具である。
【００４６】
前記各蛍光灯照明器具５１ａ，５１ｂ，５１ｃの電源端子を照明制御装置５３-1からの照明電源出力線５４-1に接続し、前記各蛍光灯照明器具５２ａ，５２ｂの電源端子を照明制御装置５３-2からの照明電源出力線５４-1に接続している。前記各照明制御装置５３-1，５３-2は通信線５５を介して主制御装置５６に接続するとともに電源線５７を介して商用電源５８に接続している。前記主制御装置５６は、前述した主制御装置２２と同様の構成である。
【００４７】
前記各照明制御装置５３-1，５３-2は、図１１に示すように、受信部５９ａ、データ処理部５９ｂ、アドレス設定部５９ｃ、制御部５９ｄからなり、信号線５５を介して前記主制御装置５６から送信される制御信号を受信部５９ａで受信してデータ処理部５９ｂに渡し、データ処理部５９ｂは制御信号内に含まれるアドレス番号をアドレス設定部５９ｃの設定されているアドレス番号と比較し、一致したとき制御信号を制御部５９ｄに渡すようになっている。
【００４８】
前記制御部５９ｄは、制御信号を受け取ると、制御信号内の制御命令に基づき、制御命令が点灯のときには内蔵しているリレー回路をオン動作して電源線５７からの電力を照明電源出力として送出し、制御命令が非点灯のときにはリレー回路をオフ動作するようになっている。
【００４９】
前記主制御装置５６は、図１２に示すように、入力部５６ａ、信号処理部５６ｂ、信号送信部５６ｃ、記憶部５６ｄ、時計回路５６ｅ、演算部５６ｆ、表示部５６ｇ及び音声発生部５６ｈからなり、前記入力部５６ａは操作部からの入力データの取込み及びネットワーク６０からの入力データの取込みを行うようになっている。前記入力部５６ａ、信号処理部５６ｂ、信号処理部５６ｂ、時計回路５６ｅの機能は前述した第１の実施の形態の入力部２２ａ、信号処理部２２ｂ、信号処理部２２ｂ、時計回路２２ｅの機能と同様である。
【００５０】
前記記憶部５６ｄは、図１３に示すように前記各照明制御装置５３-1，５３-2に対応したアドレス番号、各照明制御装置５３-1，５３-2に接続している蛍光灯照明器具の台数、点灯、消灯の制御情報、点灯時の消費電力の各データを条件データとして予め設定したテーブル６１を設けるとともに前記各照明制御装置５３-1，５３-2に対応したアドレス番号、点灯の制御情報、照明器具に装着している蛍光灯のランプ寿命を点灯限界回数として予め設定したテーブル６２を設けている。
【００５１】
また、図１４に示すように前記主制御装置５６の信号送信部５６ｃから制御信号を送信するときのその制御信号内のアドレス番号、制御情報を条件データとして記憶するとともにそのときの時刻データを時計回路５６ｅから受け取って記憶する記憶エリア６３を設けている。なお、記憶部５６ｄは、主制御装置５６が例えばパーソナルコンピュータなどのコンピュータからなる場合はハードディスクやＲＯＭ、ＰＲＯＭ、ＲＡＭなどの記憶媒体によって構成されるものである。
【００５２】
前記演算部５６ｆは、前記記憶部５６ｄの記憶エリア６３に記憶したアドレス番号と制御情報を読出すとともにこの読出したアドレス番号と制御情報に基づいてテーブル６１から該当する台数、消費電力の条件データを読出し、これをもとに該当する照明制御装置が制御する蛍光灯照明器具の瞬時消費電力を演算するようになっている。また、記憶エリア６３に記憶した時刻データから該当する照明制御装置が蛍光灯照明器具を駆動している時間を求め、これと消費電力とからある時間の消費電力量を演算するようになっている。そして、演算した瞬時消費電力や消費電力量を前記表示部５６ｇに表示するようになっている。
【００５３】
また、前記演算部５６ｆは、内部にカウンタを設け、このカウンタにより各アドレス毎の点灯回数をカウントするようになっている。すなわち、ランプ寿命はランプのオン、オフ回数で見積ることができるので、ランプの点灯回数によりランプ寿命を判断する。そして、カウンタによるランプの点灯回数がテーブル６２に設定したランプ寿命の点灯限界回数に一致したとき、ランプ寿命になったと判断し、それを前記表示部５６ｇに表示するとともに音声発生部５６ｈを駆動して音声により知らせるようになっている。
【００５４】
このような構成においては、主制御装置５６がアドレス番号「０１」に対応する照明制御装置５３-1に対して照明器具３１ａ，３１ｂ，３１ｃを点灯させる制御信号を９８年２月１４日の８：００に送信し、さらに、照明器具３１ａ，３１ｂ，３１ｃを消灯させる制御信号を同日の８：３０に送信したとすると、８：００の時点における瞬時消費電力Ｐは、Ｐ＝３５Ｗ×３（台）から、１０５Ｗになる。また、８：００から８：３０までの間の消費電力量Ｅを求めると、Ｅ＝１０５Ｗ×０．５ｈ＝５２．５Ｗｈとなる。こうして求められた消費電力Ｐ及び消費電力量Ｅは表示部５６ｇにより表示される。
【００５５】
このように、照明器具を点灯、消灯するシステムにおいても瞬時の消費電力がどの程度か、また、ある時刻からある時刻までの消費電力量がどの程度かを表示により確実に知ることができる。
【００５６】
また、カウンタで各アドレス毎の点灯回数をカウントし、例えば、アドレス番号「０１」、すなわち、照明制御装置５３-1が制御する照明器具５１ａ，５１ｂ，５１ｃの点灯回数が１０，０００回に達すると演算部５６ｆが照明器具５１ａ，５１ｂ，５１ｃのランプが寿命に来たことを判断し、その旨を表示部５６ｇによる表示と音声発生部５６ｈによる音声により知らせる。従って、管理者は照明器具５１ａ，５１ｂ，５１ｃのランプが寿命に来たことを表示と音声の両方で確実に知ることができる。
【００５７】
なお、この実施の形態では、ランプ寿命をランプの点灯回数に置き換えて判断するようにしたが必ずしもこれに限定するものではなく、ランプ寿命はランプの点灯累計時間に置き換えることもできるので、ランプ点灯の累計時間を計測してランプ寿命を判断してもよい。また、ランプの点灯回数とランプ点灯の累計時間の両方を計測してランプ寿命を判断してもよい。
【図面の簡単な説明】
【００５８】
【図１】本発明の第１の実施の形態を示すブロック図。
【図２】同実施の形態における主制御装置の構成を示すブロック図。
【図３】同実施の形態における照明制御装置の構成を示すブロック図。
【図４】同実施の形態における主制御装置の記憶部に形成したテーブルの構成例を示す図。
【図５】同実施の形態における主制御装置の記憶部に形成した記憶エリアのデータ格納例を示す図。
【図６】同実施の形態における主制御装置の記憶部に形成したテーブルの他の構成例を示す図。
【図７】同実施の形態における主制御装置の記憶部に形成したテーブルの他の構成例を示す図。
【図８】図７における消費電力Ｐと関数ｆn(ｘn)の関係を示すグラフ。
【図９】本発明の第２の実施の形態を示すブロック図。
【図１０】本発明の第３の実施の形態を示すブロック図。
【図１１】同実施の形態における照明制御装置の構成を示すブロック図。
【図１２】同実施の形態における主制御装置の構成を示すブロック図。
【図１３】同実施の形態における主制御装置の記憶部に形成したテーブルの構成例を示す図。
【図１４】同実施の形態における主制御装置の記憶部に形成した記憶エリアのデータ格納例を示す図。
【図１５】従来例を示すブロック図。
【図１６】同従来例における主制御装置が送信する制御信号のフォーマットを示す図。
【図１７】同従来例における主制御装置の構成を示すブロック図。
【図１８】同従来例における照明制御装置の構成を示すブロック図。
【符号の説明】
【００５９】
１１ａ〜１１ｃ、１２ａ，１２ｂ、１３ａ，１３ｂ…蛍光灯照明器具
１５，１７，１９…電源
２０-1〜２０-n…照明制御装置
２２…主制御装置
２２ｄ…記憶部
２２ｆ…演算部
【図１】
2007294475.tif 000003
【図２】
2007294475.tif 000004
【図３】
2007294475.tif 000005
【図４】
2007294475.tif 000006
【図５】
2007294475.tif 000007
【図６】
2007294475.tif 000008
【図７】
2007294475.tif 000009
【図８】
2007294475.tif 000010
【図９】
2007294475.tif 000011
【図１０】
2007294475.tif 000012
【図１１】
2007294475.tif 000013
【図１２】
2007294475.tif 000014
【図１３】
2007294475.tif 000015
【図１４】
2007294475.tif 000016
【図１５】
2007294475.tif 000017
【図１６】
2007294475.tif 000018
【図１７】
2007294475.tif 000019
【図１８】
2007294475.tif 000020